(57)【要約】【課題】レーザの出力波長に対する波長モニタ値の特性が変化しても、出力波長の急激な変動を回避すること。【解決手段】光源制御装置１２０は、波長モニタ１２１と、温度制御部１２２と、温度モニタ１２３と、制御管理部１２４と、を備えている。波長モニタ１２１は、レーザ１１０から出力された光の波長をモニタする。温度制御部１２２は、波長モニタ１２１によってモニタされた波長が波長モニタ目標値になるようにレーザ１１０の温度を制御するモニタ波長一定制御を行う。温度モニタ１２３は、レーザ１１０の温度をモニタする。制御管理部１２４は、温度モニタ１２３によってモニタされた温度の単位時間の変化量が閾値を超えた場合に、温度制御部１２２によるモニタ波長一定制御を停止させる。【選択図】図１
2010232336.tif 000002
【特許請求の範囲】
【請求項１】
温度に応じて出力光の波長が変化するレーザと、
前記レーザから出力された光の波長をモニタする波長モニタ手段と、
前記波長モニタ手段の出力に基づき前記レーザの温度を制御する温度制御手段と、
前記レーザの温度をモニタする温度モニタ手段と、
前記温度モニタ手段によってモニタされた温度の単位時間の変化量が閾値を超えた場合に、前記温度制御手段による制御を停止させる制御管理手段と、
を備えたことを特徴とする光源制御装置。
【請求項２】
前記温度制御手段は、前記レーザに設けられた熱電冷却素子へ注入する駆動電流を調整することによって前記レーザの温度を制御し、
前記温度制御手段は、前記制御管理手段によって前記温度制御手段による制御を停止した場合に、前記熱電冷却素子へ注入する駆動電流を固定することを特徴とする請求項１に記載の光源制御装置。
【請求項３】
前記制御管理手段は、前記波長モニタ手段によってモニタされた波長の誤差が所定値以下になった後、前記変化量が前記閾値を超えた場合に前記温度制御手段による制御を停止させることを特徴とする請求項１または２に記載の光源制御装置。
【請求項４】
前記温度制御手段は、前記制御管理手段による制御に応じて、前記波長モニタ手段の出力に基づき前記レーザの温度を制御するモニタ波長一定制御と、前記温度モニタ手段によってモニタされた温度が温度モニタ目標値になるように前記レーザの温度を制御するモニタ温度一定制御と、を切り替えて実行し、
前記制御管理手段は、前記変化量が前記閾値を超えた場合に、前記温度制御手段の制御を前記モニタ波長一定制御から前記モニタ温度一定制御へ切り替えることを特徴とする請求項１〜３のいずれか一つに記載の光源制御装置。
【請求項５】
温度に応じた波長の光を出力するレーザと、
前記レーザから出力された光の波長をモニタする波長モニタ手段と、
前記波長モニタ手段によってモニタされた波長が波長モニタ目標値になるように前記レーザの温度を制御するモニタ波長一定制御を行う温度制御手段と、
前記レーザの温度をモニタする温度モニタ手段と、
前記温度モニタ手段によってモニタされた温度の単位時間の変化量が閾値を超えた場合に、前記温度制御手段による前記モニタ波長一定制御を停止させる制御管理手段と、
を備えたことを特徴とする光源装置。
【発明の詳細な説明】
【技術分野】
【０００１】
この発明は、レーザの出力波長を制御する光源制御装置および光源装置に関する。
【背景技術】
【０００２】
近年の光通信の大容量化にともなって、波長多重（Ｗａｖｅｌｅｎｇｔｈ  Ｄｉｖｉｓｉｏｎ  Ｍｕｌｔｉｐｌｅｘｉｎｇ）方式による光通信システムが構築されている。これにより、一本の光ファイバによって波長の異なる複数の光信号を同時に伝送することが可能になり、単一波長による通信と比べて伝送容量の拡大を図ることができる。
【０００３】
このＷＤＭ方式による光通信システムを長時間安定して動作させるためには、光源装置が出力する光信号の出力波長を安定させる必要がある。このため、ＷＤＭ方式の光通信システムにおける光源装置の光源には、たとえば安定した波長の光を出力可能なＤＦＢ（Ｄｉｓｔｒｉｂｕｔｅｄ  ＦｅｅｄＢａｃｋ：分布帰還型）レーザが用いられている。ＤＦＢレーザなどのレーザは、注入された電流に応じた強度の光を出力する。
【０００４】
また、ＤＦＢレーザなどのレーザの出力波長には温度依存性があるため（図４参照）、レーザの温度を制御することによってレーザの出力波長を調整することができる（たとえば、下記特許文献１，２参照。）。たとえば、レーザをペルチェ素子などのＴＥＣ（Ｔｈｅｒｍｏ−Ｅｌｅｃｔｒｉｃａｌ  Ｃｏｏｌｅｒ：熱電冷却素子）上に設置し、ＴＥＣへ注入する駆動電流を調整することによってレーザの温度を制御する。
【０００５】
そして、フィードバック制御によってレーザの温度を制御することでレーザの出力波長を安定させる。このフィードバック制御には、モニタしたレーザの温度が温度目標値となるようにレーザの温度を制御するＡＴＣ（Ａｕｔｏｍａｔｉｃ  Ｔｈｅｒｍａｌ  Ｃｏｎｔｒｏｌ）と、モニタしたレーザの波長が波長目標値となるようにレーザの温度を制御するＡＦＣ（Ａｕｔｏｍａｔｉｃ  Ｆｒｅｑｕｅｎｃｙ  Ｃｏｎｔｒｏｌ）と、がある。
【０００６】
ＡＴＣにおいては、レーザの近傍に設置されたＴＨ（ＴＨｅｒｍｉｓｔｏｒ）によってレーザの温度をモニタし、モニタした温度モニタ値が温度モニタ目標値になるようにＴＥＣへ注入する電流量を調整する。これに対して、ＡＦＣにおいては、波長フィルタとフォトダイオード（ＰＤ：Ｐｈｏｔｏ  Ｄｉｏｄｅ）によってレーザの出力波長をモニタし、モニタした波長モニタ値が波長モニタ目標値になるようにＴＥＣへ注入する電流量を調整する。
【０００７】
ＡＴＣによってレーザの出力波長を安定化した場合は、装置の起動時においては安定した出力波長を得ることができるが、ＴＨによる温度の感度は経年変動する（図５参照）。このため、ＡＴＣによって制御するレーザの出力波長も経年変動してしまう。したがって、ＡＴＣにおいてはレーザの出力波長を長期間安定させることができない。
【０００８】
一方、ＡＦＣによってレーザの出力波長を安定化した場合は、波長フィルタ特性の経年変化が少なく長期間安定した出力波長を得ることができる。しかし、波長フィルタの透過特性は、波長の変化に対して山谷（増減および減少）を繰り返す特性を示すため、出力波長とモニタ値を一対一で対応付けるには所要スロープの選択を別手段で行う必要がある。
【０００９】
実際の光源装置においては、ＡＴＣとＡＦＣを併用して用いることが多い。たとえば、起動時にはＡＴＣによってレーザの温度を制御し、波長フィルタの所要スロープを選択して出力波長を目標値付近にした後、レーザの温度制御をＡＦＣに切り替える。また、レーザの出力波長が変動した場合にはアラームを発出することによってユーザへ通知し、ユーザが安全なシステムの停止や装置の交換などの各種対応を行うことができるようにする。
【先行技術文献】
【特許文献】
【００１０】
【特許文献１】特開２００１−３１３６１３号公報
【特許文献２】特開平７−８６６９４号公報
【発明の概要】
【発明が解決しようとする課題】
【００１１】
しかしながら、上述した従来技術では、レーザの出力波長に対する波長モニタ値の特性が変化すると、ＡＦＣの動作によってレーザの実際の出力波長が変動するという問題がある。レーザの出力波長に対する波長モニタ値の特性は、波長フィルタに入射するレーザの出力光の角度が変化したり、レーザの出力光の他に波長フィルタに入射する装置内の漏光や反射光の角度や強度が変化したりすることによって変動する。
【００１２】
また、装置内の漏光や反射光が波長フィルタに入射すると、レーザの出力波長に対する波長モニタ値の特性が非単調になる場合がある（たとえば図７、図８参照）。このため、波長モニタ値の変化方向がレーザの実際の変化方向と一対一で対応しなくなり、ＡＦＣの誤動作によってレーザの出力波長が急激に変動することがある。このときの波長変動はＡＦＣの応答時定数に比例し、数秒で数ｎｍの波長変動が発生する場合もある。
【００１３】
レーザの出力波長が変動すると、ＷＤＭ方式による光通信システムにおいて、チャネル間が干渉するなどの障害が発生する。また、レーザの出力波長に対する波長モニタ値の特性が非単調になると、レーザの出力波長が波長モニタ値に正確に反映されないため、実際には波長変動が発生していないのにアラームを発出してしまったり、波長変動が発生しているのにアラームを発出しなかったりするという問題がある。
【００１４】
開示の光源制御装置および光源装置は、上述した問題点を解消するものであり、レーザの出力波長に対する波長モニタ値の特性が変化しても、出力波長の急激な変動を回避することを目的とする。
【課題を解決するための手段】
【００１５】
上述した課題を解決し、目的を達成するため、開示の技術は、温度に応じた波長の光を出力するレーザに対して、前記レーザから出力された光の波長をモニタし、モニタされた波長が波長モニタ目標値になるように前記レーザの温度を制御するモニタ波長一定制御を行い、レーザの温度をモニタし、モニタされた温度の単位時間の変化量が閾値を超えた場合に、前記モニタ波長一定制御を停止させることを要件とする。
【００１６】
上記構成によれば、レーザのモニタ波長一定制御を行いながらレーザの温度をモニタすることで、レーザの出力波長に対する波長モニタ値の特性が変化しても、レーザの出力波長の変動を検出することができる。
【発明の効果】
【００１７】
開示の光源制御装置および光源装置によれば、レーザの出力波長に対する波長モニタ値の特性が変化しても、出力波長の急激な変動を回避することができるという効果を奏する。
【図面の簡単な説明】
【００１８】
【図１】実施の形態１にかかる光源装置の概要を示すブロック図である。
【図２】図１に示した光源装置の具体例を示すブロック図である。
【図３】図２に示した光源装置の動作の一例を示すフローチャートである。
【図４】ＤＦＢレーザの温度に対する出力波長の特性を示すグラフである。
【図５】ＤＦＢレーザの温度に対する温度モニタ値の特性の変化を示すグラフである。
【図６】ＤＦＢレーザの出力波長に対する波長モニタ値の特性を示すグラフである。
【図７】波長フィルタへの漏光を示す図である。
【図８】漏光がある場合の波長モニタ値の特性を示すグラフである。
【図９】図８に示した合成特性を示すグラフである。
【図１０】図９に示した合成特性の一部を拡大したグラフである。
【図１１】図９に示した合成特性が経年変化した特性を示すグラフである。
【図１２】実施の形態２にかかる光源装置の概要を示すブロック図である。
【図１３】図１２に示した光源装置の具体例を示すブロック図である。
【図１４】図１３に示した光源装置の動作の一例を示すフローチャートである。
【図１５】ＡＦＣからＡＴＣへの切替を示すグラフである。
【発明を実施するための形態】
【００１９】
以下に添付図面を参照して、この光源制御装置および光源装置の好適な実施の形態を詳細に説明する。この光源制御装置および光源装置は、レーザのＡＦＣを行いながらレーザ温度をモニタし、レーザ温度が大きく変動した場合にＡＦＣを停止する。これにより、実際のレーザ波長に対するモニタ波長の特性が変化しても、レーザ波長の急激な変動を回避することができる。
【００２０】
（実施の形態１）
図１は、実施の形態１にかかる光源装置の概要を示すブロック図である。図１に示すように、実施の形態１にかかる光源装置１００は、レーザ１１０と、光源制御装置１２０と、を備えている。レーザ１１０は、レーザ１１０の温度に応じた波長の光を出力するレーザである。レーザ１１０は、たとえばＤＦＢレーザである。
【００２１】
光源制御装置１２０は、レーザ１１０が出力する波長が目標波長となるようにレーザ１１０を制御する。具体的には、光源制御装置１２０は、波長モニタ１２１と、温度制御部１２２と、温度モニタ１２３と、制御管理部１２４と、を備えている。波長モニタ１２１は、レーザ１１０から出力された光の波長をモニタする波長モニタ手段である。波長モニタ１２１は、モニタした波長を示す波長モニタ値を温度制御部１２２へ出力する。
【００２２】
温度制御部１２２は、波長モニタ１２１から出力される波長モニタ値が一定になるようにレーザ１１０の温度を制御するモニタ波長一定制御（ＡＦＣ）を行う。温度制御部１２２は、たとえばレーザ１１０に設けられたペルチェ素子とその制御回路である。また、温度制御部１２２は、制御管理部１２４から停止信号が出力されるとＡＦＣを停止する。
【００２３】
温度モニタ１２３は、レーザ１１０の温度をモニタする温度モニタ手段である。温度モニタ１２３は、モニタした温度を示す温度モニタ値を制御管理部１２４へ出力する。温度モニタ１２３は、たとえばレーザ１１０の近傍に設けられたサーミスタである。制御管理部１２４は、温度モニタ１２３から出力された温度モニタ値の単位時間の変化量が閾値を超えた場合に、ＡＦＣを停止すべき旨の停止信号を温度制御部１２２へ出力する。
【００２４】
図２は、図１に示した光源装置の具体例を示すブロック図である。光源装置１００（図１参照）は、ＤＦＢレーザ２１１と、ＤＦＢ駆動部２１２と、ＴＥＣ２１３と、サーミスタ２２１と、Ｉ／Ｖ変換部２２２，２４３と、ローパスフィルタ２２３，２３２，２４４，２４７と、デジタル変換部２２４，２４５と、差分回路２３１，２４６と、スイッチ２３３，２３４と、アナログ変換部２３５と、ＴＥＣ駆動部２３６と、波長フィルタ２４１と、受光部２４２と、初期制御管理部２５０と、制御管理部２６０と、を備えている。
【００２５】
ＤＦＢレーザ２１１は、図１に示したレーザ１１０に対応する構成である。ＤＦＢレーザ２１１は、ＤＦＢ駆動部２１２（ＤＦＢ  ＤＲＶ）から注入された駆動電流に応じた強度のフロント光２１１ａおよびバック光２１１ｂを出力する。また、ＤＦＢレーザ２１１のフロント光２１１ａおよびバック光２１１ｂは、ＤＦＢレーザ２１１の温度に応じて変化する。ここでは、ＤＦＢレーザ２１１のフロント光２１１ａが外部へ出力され、ＤＦＢレーザ２１１のバック光２１１ｂが波長フィルタ２４１へ出力されるようになっている。
【００２６】
ＴＥＣ２１３は、ＴＥＣ駆動部２３６から注入された駆動電流に応じて温度が変化する熱電冷却素子である。ＤＦＢレーザ２１１はＴＥＣ２１３上に設けられており、ＤＦＢレーザ２１１の温度はＴＥＣ２１３の温度に応じた温度になる。したがって、ＤＦＢレーザ２１１の温度は、ＴＥＣ２１３へ注入する駆動電流により制御することができる。
【００２７】
サーミスタ２２１（ＴＨ）、Ｉ／Ｖ変換部２２２、ローパスフィルタ２２３（ＬＰＦ：Ｌｏｗ  Ｐａｓｓ  Ｆｉｌｔｅｒ）およびデジタル変換部２２４（ＡＤＣ：Ａｎａｌｏｇ／Ｄｉｇｉｔａｌ  Ｃｏｎｖｅｒｔｅｒ）は、図１に示した温度モニタ１２３に対応する構成である。サーミスタ２２１は、ＴＥＣ２１３上のＤＦＢレーザ２１１近傍に設けられており、ＤＦＢレーザ２１１の温度を示す電流をＩ／Ｖ変換部２２２へ出力する。
【００２８】
Ｉ／Ｖ変換部２２２は、サーミスタ２２１から出力された電流を電流電圧変換し、電流電圧変換した電流をローパスフィルタ２２３へ出力する。ローパスフィルタ２２３は、Ｉ／Ｖ変換部２２２から出力された電流の低周波成分を抽出してデジタル変換部２２４へ出力する。デジタル変換部２２４は、ローパスフィルタ２２３から出力された電流をデジタル変換し、デジタル変換した信号を、ＤＦＢレーザ２１１の温度を示す温度モニタ値（図１参照）として制御管理部２６０および差分回路２３１のそれぞれへ出力する。
【００２９】
差分回路２３１、ローパスフィルタ２３２（ＬＰＦ）、スイッチ２３３、スイッチ２３４、アナログ変換部２３５（ＤＡＣ：Ｄｉｇｉｔａｌ／Ａｎａｌｏｇ  Ｃｏｎｖｅｒｔｅｒ）、ＴＥＣ駆動部２３６（ＴＥＣ  ＤＲＶ）、差分回路２４６およびローパスフィルタ２４７（ＬＰＦ）は、図１に示した温度制御部１２２に対応する構成である。
【００３０】
差分回路２３１には、デジタル変換部２２４から出力された温度モニタ値と、あらかじめ設定された温度モニタ目標値と、が入力される。差分回路２３１は、入力された温度モニタ値と温度モニタ目標値の差分を、温度誤差としてローパスフィルタ２３２および初期制御管理部２５０のそれぞれへ出力する。ローパスフィルタ２３２は、差分回路２３１から出力された温度誤差の低周波成分を抽出してスイッチ２３３へ出力する。
【００３１】
スイッチ２３３には、ローパスフィルタ２３２から出力された温度誤差と、ローパスフィルタ２４７から出力された波長誤差（後述）と、が入力される。スイッチ２３３は、入力された温度誤差および波長誤差のうちのいずれかをスイッチ２３４へ出力する。また、スイッチ２３３は、温度誤差および波長誤差のうちのいずれを出力するかを初期制御管理部２５０の制御にしたがって切り替える。
【００３２】
スイッチ２３４は、スイッチ２３３から出力された温度誤差（または波長誤差）をアナログ変換部２３５へ出力する。また、スイッチ２３４は、制御管理部２６０から停止信号が出力されると、スイッチ２３３から出力された温度誤差（または波長誤差）を遮断する。アナログ変換部２３５は、スイッチ２３４から出力された信号をアナログ変換し、アナログ変換した電流をＴＥＣ駆動部２３６へ出力する。ＴＥＣ駆動部２３６は、アナログ変換部２３５から出力された電流に応じた駆動電流をＴＥＣ２１３へ注入する。
【００３３】
波長フィルタ２４１、受光部２４２（ＰＤ）、Ｉ／Ｖ変換部２４３、ローパスフィルタ２４４（ＬＰＦ）およびデジタル変換部２４５（ＡＤＣ）は、図１に示した波長モニタ１２１に対応する構成である。波長フィルタ２４１は、ＤＦＢレーザ２１１のバック光２１１ｂを波長成分ごとに異なる透過率で通過させる。受光部２４２は、波長フィルタ２４１を通過した光を受光し、受光した光の強度を示す電流をＩ／Ｖ変換部２４３へ出力する。
【００３４】
Ｉ／Ｖ変換部２４３は、受光部２４２から出力された電流を電流電圧変換し、電流電圧変換した電流をローパスフィルタ２４４へ出力する。ローパスフィルタ２４４は、Ｉ／Ｖ変換部２４３から出力された電流の低周波成分を抽出してデジタル変換部２４５へ出力する。デジタル変換部２４５は、ローパスフィルタ２４４から出力された電流をデジタル変換する。デジタル変換部２４５は、デジタル変換した信号を、ＤＦＢレーザ２１１の出力波長を示す波長モニタ値（図１参照）として差分回路２４６へ出力する。
【００３５】
差分回路２４６には、デジタル変換部２４５から出力された波長モニタ値と、あらかじめ設定された波長モニタ目標値と、が入力される。差分回路２４６は、入力された波長モニタ値と波長モニタ目標値の差分を、波長誤差としてローパスフィルタ２４７および初期制御管理部２５０のそれぞれへ出力する。ローパスフィルタ２４７は、差分回路２４６から出力された波長誤差の低周波成分を抽出してスイッチ２３３へ出力する。
【００３６】
初期制御管理部２５０は、光源装置１００の起動時における制御を管理する。初期制御管理部２５０は、光源装置１００の起動時においては、スイッチ２３３へ入力された温度誤差および波長誤差のうちの温度誤差がスイッチ２３４へ出力されるようにスイッチ２３３を制御する。これにより、ＡＴＣによるＤＦＢレーザ２１１の温度制御が開始される。
【００３７】
そして、初期制御管理部２５０は、差分回路２３１から出力された温度誤差が所定値以下になると、スイッチ２３３へ入力された温度誤差および波長誤差のうちの波長誤差がスイッチ２３４へ出力されるようにスイッチ２３３を制御する。これにより、ＤＦＢレーザ２１１の温度制御がＡＴＣからＡＦＣに切り替わる。
【００３８】
このように、初期制御管理部２５０は、光源装置１００の起動時においてはＡＴＣによるＤＦＢレーザ２１１の温度制御を行い、ＤＦＢレーザ２１１の温度が目標温度付近になると、ＡＴＣからＡＦＣに切り替える。これにより、ＤＦＢレーザ２１１の出力波長が目標波長付近になった状態からＡＦＣを開始することができる。
【００３９】
このため、ＡＦＣの誤動作を回避して、ＤＦＢレーザ２１１の出力波長を安定して制御することができる。また、初期制御管理部２５０は、ＡＴＣからＡＦＣに切り替えるとともに、制御管理部２６０へトリガ信号を出力する。制御管理部２６０は、初期制御管理部２５０からトリガ信号が出力されると、以下に説明する動作を開始する。
【００４０】
制御管理部２６０は、図１に示した制御管理部１２４に対応する構成である。具体的には、制御管理部２６０は、タイマ２６１と、メモリ２６２と、差分回路２６３と、判定回路２６４と、を備えている。タイマ２６１は、トリガ信号をメモリ２６２へ周期的に出力する。メモリ２６２は、デジタル変換部２２４から出力された温度モニタ値を順次更新しながら記憶する。また、メモリ２６２は、タイマ２６１からトリガ信号が出力されると、そのときに記憶していた温度モニタ値を差分回路２６３へ出力する。
【００４１】
差分回路２６３には、デジタル変換部２２４から出力された温度モニタ値と、メモリ２６２から出力された温度モニタ値と、が入力される。差分回路２６３は、デジタル変換部２２４から出力された温度モニタ値と、メモリ２６２から出力された温度モニタ値と、の差分を温度変動値として判定回路２６４へ出力する。判定回路２６４は、差分回路２６３から出力された温度変動値が、あらかじめ定められた閾値を超えたか否かを判定する。
【００４２】
判定回路２６４は、温度変動値が閾値を超えた場合は、スイッチ２３４へ停止信号を出力する。これにより、アナログ変換部２３５へ出力される波長誤差が遮断される。このため、ＴＥＣ駆動部２３６がＴＥＣ２１３へ注入する駆動電流が固定され、ＡＦＣが停止する。また、判定回路２６４は、ＡＦＣを停止させるとともに、外部へアラームを発出するようにしてもよい。これにより、ＡＦＣが停止したことをユーザが知ることができる。
【００４３】
なお、タイマ２６１がメモリ２６２へトリガ信号を出力する周期は、０．５〜５秒程度にするとよい。タイマ２６１がトリガ信号を出力する周期が長すぎると、温度変動のモニタ周期が長くなるためＤＦＢレーザ２１１の波長変動を速やかに検出することができない。タイマ２６１がトリガ信号を出力する周期が短すぎると、１周期内に温度モニタ値がほとんど変化しないため、ＤＦＢレーザ２１１の波長変動を検出することができなくなる。
【００４４】
また、ＷＤＭ方式の通信システムにおいては、波長精度要求が±２５ｐｍ未満である場合は、判定回路２６４における温度変動値の閾値は０．０５〜０．１℃程度にするとよい。温度変動値の閾値を０．０５〜０．１℃程度にすると、５〜１０ｐｍの波長変動があった場合に温度変動値が閾値を超えるため、ＷＤＭ方式の通信システムの波長精度要求を満たさなくなった場合にＡＦＣを停止することができる。
【００４５】
図３は、図２に示した光源装置の動作の一例を示すフローチャートである。初期状態において、スイッチ２３４は、スイッチ２３３からの信号をアナログ変換部２３５へ出力するように設定されているものとする。まず、ＤＦＢ駆動部２１２がＤＦＢレーザ２１１へ駆動電流を注入することによってＤＦＢレーザ２１１を駆動する（ステップＳ３０１）。
【００４６】
つぎに、初期制御管理部２５０が、ローパスフィルタ２３２からスイッチ２３３へ出力された温度誤差がスイッチ２３４へ出力されるようにスイッチ２３３を制御することによって、ＡＴＣを開始する（ステップＳ３０２）。つぎに、初期制御管理部２５０が、差分回路２３１から出力された温度誤差が所定値以下か否かを判断し（ステップＳ３０３）、温度誤差が所定値以下になるまで待つ（ステップＳ３０３：Ｎｏのループ）。
【００４７】
ステップＳ３０３において温度誤差が所定値以下になると（ステップＳ３０３：Ｙｅｓ）、初期制御管理部２５０が、ローパスフィルタ２４７からスイッチ２３３へ出力された波長誤差がスイッチ２３４へ出力されるようにスイッチ２３３を制御することによって、ＤＦＢレーザ２１１の温度制御をＡＴＣからＡＦＣに切り替える（ステップＳ３０４）。
【００４８】
つぎに、初期制御管理部２５０が、差分回路２４６から出力された波長誤差が所定値以下か否かを判断し（ステップＳ３０５）、波長誤差が所定値以下になるまで待つ（ステップＳ３０５：Ｎｏのループ）。波長誤差が所定値以下になると（ステップＳ３０５：Ｙｅｓ）、初期制御管理部２５０が、制御管理部２６０へトリガ信号を出力することによって制御管理部２６０による温度変動判定を開始する（ステップＳ３０６）。
【００４９】
つぎに、制御管理部２６０の判定回路２６４が、差分回路２６３から出力された温度変動値が閾値を超えたか否かを判断し（ステップＳ３０７）、温度変動値が閾値を超えるまで待つ（ステップＳ３０７：Ｎｏのループ）。温度変動値が閾値を超えると（ステップＳ３０７：Ｙｅｓ）、判定回路２６４は、スイッチ２３４へ停止信号を出力することによってＡＦＣを停止する（ステップＳ３０８）。つぎに、判定回路２６４が、外部へアラームを発出し（ステップＳ３０９）、一連の処理を終了する。
【００５０】
なお、制御管理部２６０が、ステップＳ３０７において温度変動値が閾値を超えてから一定時間経過後に、光源装置１００（自装置）をシャットダウンさせるようにしてもよい。これにより、ステップＳ３０９によって発出されたアラームにユーザが気づかずに放置された場合でも、ＤＦＢレーザ２１１の出力波長が変動してＷＤＭ方式の通信システムにおける他のチャネルに障害が発生することを回避することができる。
【００５１】
図４は、ＤＦＢレーザの温度に対する出力波長の特性を示すグラフである。図４において、横軸（レーザ温度）はＤＦＢレーザ２１１の実際の温度を示している。縦軸はＤＦＢレーザ２１１の実際の出力波長を示している。特性４１０に示すように、ＤＦＢレーザ２１１の実際の出力波長は、ＤＦＢレーザ２１１の実際の温度に比例して大きくなる。
【００５２】
したがって、ＴＥＣ２１３を用いてＤＦＢレーザ２１１の温度を一定に制御することによって、ＤＦＢレーザ２１１の実際の出力波長を一定にすることができる。ここでは、ＤＦＢレーザ２１１の温度が１ｄｅｇＣ増加するごとに、ＤＦＢレーザ２１１の出力波長が１００ｐｍ増加している（ｓｌｏｐｅ＝１００ｐｍ／ｄｅｇＣ）。
【００５３】
図５は、ＤＦＢレーザの温度に対する温度モニタ値の特性の変化を示すグラフである。図５において、横軸（レーザ温度）はＤＦＢレーザ２１１の実際の温度を示している。縦軸はデジタル変換部２２４から出力される温度モニタ値を示している。特性５１０に示すように、温度モニタ値は、ＤＦＢレーザ２１１の実際の温度に比例して大きくなる。
【００５４】
このため、温度モニタ値によって、ＤＦＢレーザ２１１における実際の温度の変動をモニタすることができる。ただし、経年劣化により、点線５１１に示すように、ＤＦＢレーザ２１１の温度の変化量に対する温度モニタ値の変化量が変動する場合がある。経年劣化は、たとえば、サーミスタ２２１をＴＥＣ２１３に固定する接着剤の劣化などに起因する。
【００５５】
図６は、ＤＦＢレーザの出力波長に対する波長モニタ値の特性を示すグラフである。図６において、横軸はＤＦＢレーザ２１１の実際の出力波長を示している。縦軸はデジタル変換部２４５から出力される波長モニタ値を示している。特性６１０に示すように、デジタル変換部２４５から出力される波長モニタ値は、ＤＦＢレーザ２１１の実際の出力波長に対して増加および減少を交互に繰り返す特性を有する。
【００５６】
光源装置１００は、起動時には、温度モニタ値が目標温度付近になるまでＡＴＣを行い、その後ＡＴＣからＡＦＣへ切り替える。これにより、ＤＦＢレーザ２１１の出力波長が波長モニタ目標値ＴＭλ６１付近となった状態でＡＦＣを開始することができる。したがって、出力波長が多少変動しても、出力波長と波長モニタ値とが一対一で対応付けられるため、ＤＦＢレーザ２１１の温度を適切な増減方向に制御することができる。これにより、ＤＦＢレーザ２１１の出力波長を目標波長Ｔλ６２に維持することができる。
【００５７】
図７は、波長フィルタへの漏光を示す図である。図７において、図２に示した構成については同一の符号を付して説明を省略する。レンズ７０１は、ＤＦＢレーザ２１１および波長フィルタ２４１の間に設けられ、ＤＦＢレーザ２１１から出力されたバック光２１１ｂを通過させるレンズである。図７に示すように、ＤＦＢレーザ２１１から出力されたバック光２１１ｂは、波長フィルタ２４１に対して直角に入射している。
【００５８】
漏光７０２は、光源装置１００をパッケージングする金属ケースの外部から漏れ込んだ光である。漏光７０２は、波長フィルタ２４１に対して直角ではない角度で入射している。また、漏光７０２の他にも、光源装置１００をパッケージングする金属ケース内部での反射光などが、波長フィルタ２４１に対して直角ではない角度で入射する場合もある。
【００５９】
受光部２４２には、波長フィルタ２４１を通過したバック光２１１ｂだけでなく、波長フィルタ２４１を通過した漏光７０２や反射光なども入射される。したがって、受光部２４２から出力される電流は、波長フィルタ２４１を通過したバック光２１１ｂの強度と、波長フィルタ２４１を通過した漏光７０２などの強度と、を合成した強度の電流になる。
【００６０】
図８は、漏光がある場合の波長モニタ値の特性を示すグラフである。図８において、図６に示した部分と同様の部分については同一の符号を付して説明を省略する。特性８１０は、図７に示した漏光７０２の波長に対する波長モニタ値の特性を示している。図７に示したように、バック光２１１ｂおよび漏光７０２は、波長フィルタ２４１へ互いに異なる角度で入射している。そして、波長フィルタ２４１の透過特性は、波長フィルタ２４１への光の入射角度によって波長方向（図の横方向）にシフトする。
【００６１】
このため、特性８１０は特性６１０に対して波長方向にシフトしている。デジタル変換部２４５から出力される波長モニタ値の特性は、バック光２１１ｂの特性６１０と、漏光７０２の特性８１０と、を合成した合成特性８２０となる。特性６１０に対して特性８１０は波長方向にシフトしているため、特性６１０と特性８１０を合成した合成特性８２０は、特性６１０や特性８１０に比べて非単調な特性となっている。
【００６２】
図９は、図８に示した合成特性を示すグラフである。図１０は、図９に示した合成特性の一部を拡大したグラフである。図９および図１０において、図８に示した構成と同様の部分については同一の符号を付して説明を省略する。また、図１０において、図９に示した構成と同様の部分については同一の符号を付して説明を省略する。
【００６３】
図９に示すように、ＤＦＢレーザ２１１の出力波長が出力波長λ９１である場合は、波長モニタ値Ｍλ９１は合成特性８２０の単調な部分において変化する。具体的には、出力波長λ９１に対して波長モニタ値Ｍλ９１が単調減少する。このため、波長モニタ値Ｍλ９１に基づいてＤＦＢレーザ２１１の出力波長λ９１の変動をモニタすることができる。
【００６４】
これに対して、図９および図１０に示すように、ＤＦＢレーザ２１１の出力波長が出力波長λ９２である場合は、波長モニタ値Ｍλ９２は合成特性８２０の平坦な部分（範囲１０１０内）において変化する。このため、ＤＦＢレーザ２１１の出力波長λ９２が変化しても波長モニタ値Ｍλ９２はほとんど変化しない。したがって、波長モニタ値Ｍλ９２に基づいてＤＦＢレーザ２１１の出力波長λ９２の変動をモニタすることができない。
【００６５】
このため、ＤＦＢレーザ２１１の出力波長が目標波長から変動しても、ＡＦＣではＤＦＢレーザ２１１の出力波長を目標波長へ調整することができない。この場合におけるＤＦＢレーザ２１１の出力波長の変動は、ＡＦＣの応答時定数に比例し、数秒で数ｎｍの波長変動が発生する場合がある。これに対して、光源装置１００においては、ＡＦＣを行いながら温度モニタ値をモニタすることでＤＦＢレーザ２１１の出力波長の変動を検出する。
【００６６】
図１１は、図９に示した合成特性が経年変化した特性を示すグラフである。図１１において、図８および図９に示した部分と同様の部分については同一の符号を付して説明を省略する。デジタル変換部２４５から出力される波長モニタ値の特性が合成特性８２０であり、ＤＦＢレーザ２１１の出力波長を出力波長λ９１に制御していたとする。
【００６７】
この状態においては、出力波長λ９１に対して波長モニタ値Ｍλ９１が単調減少するが、その後、合成特性８２０が外気温変動や経年変動などで合成特性１１１０になったとする。これにより、ＡＦＣにより波長モニタ値が波長モニタ値Ｍλ９１となるようにＤＦＢレーザ２１１の温度を制御した結果、ＤＦＢレーザ２１１の出力波長がλ１１１となる。
【００６８】
この場合は、波長モニタ値Ｍλ９１は合成特性１１１０の平坦な部分であるため、波長モニタ値Ｍλ９１によってＤＦＢレーザ２１１の出力波長の変動を検出することができない。このため、ＡＦＣではＤＦＢレーザ２１１の出力波長を出力波長λ９１へ戻すことができない。これに対して、光源装置１００においては、ＡＦＣを行いながら温度モニタ値をモニタすることで、ＤＦＢレーザ２１１の出力波長の変動を検出する。
【００６９】
このように、実施の形態１にかかる光源制御装置１２０によれば、ＡＦＣを行いながらＤＦＢレーザ２１１の温度をモニタすることで、ＤＦＢレーザ２１１の出力波長に対する波長モニタ値の特性が変化しても、出力波長の変動を検出することができる。そして、ＤＦＢレーザ２１１の温度が大きく変動した場合にＡＦＣを停止することで、ＤＦＢレーザ２１１の出力波長の急激な変動を回避することができる。
【００７０】
たとえば、波長フィルタ２４１に対するバック光２１１ｂの入射角度が変化したり、漏光７０２や金属ボックス内の反射光の角度や強度が変化したりしても、ＤＦＢレーザ２１１の出力波長の急激な変動を回避し、安定した波長の光を出力することができる。このため、ＤＦＢレーザ２１１が出力した光を用いた通信を安定させることができる。
【００７１】
また、ＡＦＣを停止するとともにアラームを発出することで、ユーザによるシステムの安全な停止や装置の交換などの各種対応が可能になる。また、ＡＦＣを停止してＴＥＣ２１３へ注入される駆動電流を固定することによって、ＤＦＢレーザ２１１の温度および出力波長は、ある程度の期間（たとえば数分から数時間）、ほぼ一定に保たれる。したがって、ユーザは、上記の各種対応を行う時間的余裕を得ることができる。
【００７２】
また、ＡＦＣの開始後で、波長モニタ値と波長モニタ目標値との誤差（波長誤差）が所定値以下になった後に制御管理部２６０による温度変動判定を開始する。これにより、ＡＦＣの開始時におけるＤＦＢレーザ２１１の温度の過渡的な変動をＤＦＢレーザ２１１の波長変動として誤って検出し、波長フィルタ２４１などに起因する大きな波長変動が発生していないにもかかわらずＡＦＣを停止してしまうことを回避することができる。
【００７３】
なお、ＡＦＣを行いながらＤＦＢレーザ２１１の温度をモニタする際に、ＤＦＢレーザ２１１の波長変動による温度変動と、サーミスタ２２１などの経年劣化による温度変動と、を区別する必要がある。しかし、ＤＦＢレーザ２１１の波長変動による温度変動の応答特性は、ＡＦＣのループ応答特性に相当し、数秒程度である。
【００７４】
これに対して、サーミスタ２２１などの経年劣化は数ヶ月から数年で生じるものであり、タイマ２６１がトリガ信号を出力する周期および判定回路２６４における所定値の設定により、上記各温度変動を容易に区別できる。そして、ＤＦＢレーザ２１１の波長変動による温度変動を検出した場合に、ＡＦＣを停止する。なお、サーミスタ２２１などの経年劣化による温度変動を検出した場合は、ＡＦＣには特に影響がないためＡＦＣを実行してもよいし、サーミスタ２２１などが発生したことをユーザへ通知するようにしてもよい。
【００７５】
また、ＤＦＢレーザ２１１の温度変動を検出してＡＦＣを停止した場合は、その旨の履歴情報をメモリ（メモリ２６２など）に記憶しておいてもよい。そして、光源装置１００を起動するごとにメモリに履歴情報が記憶されているか否かをチェックし、履歴情報が記憶されている場合は光源装置１００の起動を中止する。これにより、ＤＦＢレーザ２１１の出力波長が変動した状態で光源装置１００が起動されることを回避することができる。
【００７６】
（実施の形態２）
図１２は、実施の形態２にかかる光源装置の概要を示すブロック図である。図１２において、図１に示した構成と同様の構成については同一の符号を付して説明を省略する。図１２に示すように、実施の形態２にかかる光源装置１００においては、温度モニタ１２３は、温度モニタ値を温度制御部１２２および制御管理部１２４のそれぞれへ出力する。
【００７７】
温度制御部１２２は、制御管理部１２４による制御に応じて、ＡＦＣと、温度モニタ１２３から出力された温度モニタ値が温度モニタ目標値になるようにレーザ１１０の温度を制御するモニタ温度一定制御（ＡＴＣ）と、を切り替えて実行する。温度制御部１２２は、制御管理部１２４から切替信号が出力されると、ＡＦＣを停止してＡＴＣを開始する。
【００７８】
制御管理部１２４は、温度モニタ１２３から出力された温度モニタ値の単位時間の変化量が閾値を超えた場合に、ＡＦＣからＡＴＣに切り替えるべき旨の切替信号を温度制御部１２２へ出力する。また、制御管理部１２４は、切替信号を温度制御部１２２へ出力するとともに、温度モニタ値の単位時間の変化量が閾値を超える前における温度モニタ値によって、温度制御部１２２の温度モニタ目標値を更新するようにしてもよい。
【００７９】
図１３は、図１２に示した光源装置の具体例を示すブロック図である。図１３において、図２に示した構成と同様の構成については同一の符号を付して説明を省略する。図１３に示すように、実施の形態２にかかる光源装置１００（図１２参照）は、図２に示した構成において、スイッチ２３４を省いた構成にしてもよい。
【００８０】
スイッチ２３３は、制御管理部２６０による制御に応じて、入力された温度誤差および波長誤差のうちのいずれかをアナログ変換部２３５へ出力する。また、スイッチ２３３は、ローパスフィルタ２４７からの波長誤差をアナログ変換部２３５へ出力しているときに制御管理部２６０から切替信号が出力されると、ローパスフィルタ２３２からの温度誤差をアナログ変換部２３５へ出力するように切替を行う。
【００８１】
判定回路２６４は、差分回路２６３から出力された温度変動値が閾値を超えた場合は、スイッチ２３３およびメモリ２６２のそれぞれへ切替信号を出力する。これにより、スイッチ２３３からアナログ変換部２３５へ出力される信号が波長誤差から温度誤差に切り替わる。したがって、ＤＦＢレーザ２１１の温度制御がＡＦＣからＡＴＣに切り替わる。
【００８２】
また、メモリ２６２は、制御管理部２６０から切替信号が出力されると、そのときに記憶していた温度モニタ値を出力する。このときメモリ２６２から出力された温度モニタ値は、差分回路２３１へ入力される新たな温度モニタ目標値として設定される。これにより、ＡＦＣからＡＴＣに切り替わるとともに、ＡＴＣにおける温度目標値が更新される。
【００８３】
図１４は、図１３に示した光源装置の動作の一例を示すフローチャートである。図１４に示すステップＳ１４０１〜Ｓ１４０７は、図３に示したステップＳ３０１〜Ｓ３０７と同様であるため説明を省略する。ステップＳ１４０７において、温度変動値が閾値を超えると（ステップＳ１４０７：Ｙｅｓ）、差分回路２３１へ入力される温度モニタ目標値を、メモリ２６２に記憶された温度モニタ値によって更新する（ステップＳ１４０８）。
【００８４】
つぎに、判定回路２６４は、スイッチ２３３へ切替信号を出力することによって、ＤＦＢレーザ２１１の温度制御をＡＦＣからＡＴＣに切り替える（ステップＳ１４０９）。つぎに、判定回路２６４が、外部へアラームを発出し（ステップＳ１４１０）、一連の処理を終了する。なお、ステップＳ１４０８は省くことも可能である。
【００８５】
図１５は、ＡＦＣからＡＴＣへの切替を示すグラフである。図１５において、図１０に示した部分と同様の部分については同一の符号を付して説明を省略する。波長フィルタ２４１に対するバック光２１１ｂの入射角度が変化したり、漏光７０２や金属ボックス内の反射光の角度や強度が変化したりするなどの異常により、デジタル変換部２４５から出力される波長モニタ値の特性が合成特性８２０になったとする。
【００８６】
また、これにともなって、ＡＦＣの誤動作によりＤＦＢレーザ２１１の温度が変化し、ＤＦＢレーザ２１１の実際の出力波長がλ１５１からλ１５２に変動したとする。この場合に、ＤＦＢレーザ２１１の出力波長がλ１５１からλ１５２に変動しても、波長モニタ値の値はほとんど変化しない（波長モニタ値Ｍλ１５１から波長モニタ値Ｍλ１５２）ため、波長モニタ値では出力波長の変動を検出することができない。
【００８７】
これに対して、デジタル変換部２２４から出力される温度モニタ値は、ＤＦＢレーザ２１１の実際の温度に対して常に単調に変化する（図５の特性５１０参照）。また、ＤＦＢレーザ２１１の出力波長はＤＦＢレーザ２１１の温度に比例するため、温度モニタ値は、ＤＦＢレーザ２１１の出力波長に対して常に単調に変化する。
【００８８】
したがって、ＡＦＣとともに温度モニタ値の変動（温度モニタ値Ｍｔ１５１から温度モニタ値Ｍｔ１５２）をモニタすることで、ＡＦＣの誤動作によるＤＦＢレーザ２１１の出力波長の変動（λ１５１からλ１５２）を検出することができる。そして、ＤＦＢレーザ２１１の出力波長の変動を検出した場合に、ＤＦＢレーザ２１１の温度制御をＡＦＣからＡＴＣに切り替えることで、ＤＦＢレーザ２１１の出力波長を安定させることができる。
【００８９】
さらに、ＡＴＣにおける温度モニタ目標値を、メモリ２６２に記憶していた温度モニタ値によって更新するようにしてもよい。これにより、ＡＴＣにおいて、ＤＦＢレーザ２１１の温度が、ＤＦＢレーザ２１１の出力波長の変動が発生する直前の温度に制御されることになる。したがって、光源装置１００の起動時から出力波長の変動発生時までに、温度モニタ値の特性が経年劣化により変化していても（たとえば図５の特性５１０および点線５１１参照）、ＤＦＢレーザ２１１の出力波長を目的波長に制御することができる。
【００９０】
このように、実施の形態２にかかる光源制御装置１２０によれば、実施の形態１にかかる光源制御装置１２０の効果を奏するとともに、ＤＦＢレーザ２１１の温度が大きく変動した場合にＡＦＣからＡＴＣに切り替える。これにより、ＡＴＣによってＤＦＢレーザ２１１の出力波長を継続して目標値に維持することができる。
【００９１】
その後、ＡＴＣによるＤＦＢレーザ２１１の温度制御を継続すると、経年劣化（図５参照）によってＤＦＢレーザ２１１の温度および出力波長が徐々に目的値からずれていく。しかし、経年劣化によるＤＦＢレーザ２１１の温度および出力波長の変動は非常に遅いため、ＤＦＢレーザ２１１の出力波長は、長期間（たとえば数ヶ月）、ほぼ一定に保たれる。したがって、ユーザは、上記の各種対応を行う時間的余裕を十分に得ることができる。
【００９２】
さらに、温度モニタ値の単位時間の変化量が閾値を超える前における温度モニタ値を記憶しておき、ＡＦＣからＡＴＣへの切替時に温度制御部１２２の温度モニタ目標値を記憶していた温度モニタ値によって更新する。これにより、光源装置１００の起動時から出力波長の変動発生時までに、温度モニタ値の特性が経年劣化により変化していても、ＤＦＢレーザ２１１の出力波長を長期間（たとえば数ヶ月）ほぼ一定に保つことができる。
【００９３】
また、温度モニタ値の単位時間の変化量が閾値を超える前における温度モニタ値を記憶する記憶手段としては、ＤＦＢレーザ２１１の急激な温度変動を検出するために順次温度モニタ値を記憶しているメモリ２６２を用いる。これにより、温度モニタ値の単位時間の変化量が閾値を超える前における温度モニタ値を記憶する記憶手段を特別に設けなくても温度制御部１２２の温度モニタ目標値を更新することができる。
【００９４】
以上説明したように、開示の光源制御装置１２０、光源装置１００および波長制御方法によれば、ＤＦＢレーザ２１１の出力波長に対する波長モニタ値の特性が変化しても通信を安定させることができる。なお、上述した各実施の形態においては、レーザ１１０としてＤＦＢレーザ２１１を用いる構成について説明したが、レーザ１１０はＤＦＢレーザ２１１に限らず、レーザ１１０の温度によって出力波長が変化するレーザであればよい。上述した実施の形態に関し、さらに以下の付記を開示する。
【００９５】
（付記１）温度に応じて出力光の波長が変化するレーザと、
前記レーザから出力された光の波長をモニタする波長モニタ手段と、
前記波長モニタ手段の出力に基づき前記レーザの温度を制御する温度制御手段と、
前記レーザの温度をモニタする温度モニタ手段と、
前記温度モニタ手段によってモニタされた温度の単位時間の変化量が閾値を超えた場合に、前記温度制御手段による制御を停止させる制御管理手段と、
を備えたことを特徴とする光源制御装置。
【００９６】
（付記２）前記温度制御手段は、前記レーザに設けられた熱電冷却素子へ注入する駆動電流を調整することによって前記レーザの温度を制御し、
前記温度制御手段は、前記制御管理手段によって前記温度制御手段による制御を停止した場合に、前記熱電冷却素子へ注入する駆動電流を固定することを特徴とする付記１に記載の光源制御装置。
【００９７】
（付記３）前記制御管理手段は、前記波長モニタ手段によってモニタされた波長の誤差が所定値以下になった後、前記変化量が前記閾値を超えた場合に前記温度制御手段による制御を停止させることを特徴とする付記１または２に記載の光源制御装置。
【００９８】
（付記４）前記温度制御手段は、前記制御管理手段による制御に応じて、前記波長モニタ手段の出力に基づき前記レーザの温度を制御するモニタ波長一定制御と、前記温度モニタ手段によってモニタされた温度が温度モニタ目標値になるように前記レーザの温度を制御するモニタ温度一定制御と、を切り替えて実行し、
前記制御管理手段は、前記変化量が前記閾値を超えた場合に、前記温度制御手段の制御を前記モニタ波長一定制御から前記モニタ温度一定制御へ切り替えることを特徴とする付記１〜３のいずれか一つに記載の光源制御装置。
【００９９】
（付記５）自装置の起動時には前記温度制御手段の制御を前記モニタ温度一定制御に切り替え、前記温度モニタ手段によってモニタされた温度と前記温度モニタ目標値との誤差が所定値以下になると前記温度制御手段の制御を前記モニタ波長一定制御へ切り替える初期制御管理手段を備えたことを特徴とする付記４に記載の光源制御装置。
【０１００】
（付記６）前記変化量が前記閾値を超える前において前記温度モニタ手段によってモニタされた温度を記憶する記憶手段を備え、
前記制御管理手段は、前記変化量が前記閾値を超えた場合に、前記温度制御手段の前記温度モニタ目標値を前記記憶手段に記憶された温度によって更新することを特徴とする付記４または５に記載の光源制御装置。
【０１０１】
（付記７）前記記憶手段は、前記温度モニタ手段によってモニタされた温度を順次記憶し、
前記制御管理手段は、前記温度モニタ手段によって新たにモニタされた温度と、前記記憶手段によって記憶された温度と、の差分に基づいて前記変化量を算出することを特徴とする付記６に記載の光源制御装置。
【０１０２】
（付記８）前記制御管理手段は、前記変化量が前記閾値を超えた場合に、前記レーザの波長変動を検出した旨のアラームを発出することを特徴とする付記１〜７のいずれか一つに記載の光源制御装置。
【０１０３】
（付記９）前記制御管理手段は、前記変化量が前記閾値を超えてから一定時間経過後に自装置をシャットダウンさせることを特徴とする付記１〜８のいずれか一つに記載の光源制御装置。
【０１０４】
（付記１０）温度に応じた波長の光を出力するレーザと、
前記レーザから出力された光の波長をモニタする波長モニタ手段と、
前記波長モニタ手段によってモニタされた波長が波長モニタ目標値になるように前記レーザの温度を制御するモニタ波長一定制御を行う温度制御手段と、
前記レーザの温度をモニタする温度モニタ手段と、
前記温度モニタ手段によってモニタされた温度の単位時間の変化量が閾値を超えた場合に、前記温度制御手段による前記モニタ波長一定制御を停止させる制御管理手段と、
を備えたことを特徴とする光源装置。
【０１０５】
（付記１１）温度に応じた波長の光を出力するレーザの波長制御方法において、
前記レーザから出力された光の波長をモニタする波長モニタ工程と、
前記波長モニタ工程によってモニタされた波長が一定になるように前記レーザの温度を制御するモニタ波長一定制御を行う温度制御工程と、
前記レーザの温度をモニタする温度モニタ工程と、
前記温度モニタ工程によってモニタされた温度の単位時間の変化量が閾値を超えた場合に、前記温度制御工程による前記モニタ波長一定制御を停止させる制御管理工程と、
を含むことを特徴とする波長制御方法。
【符号の説明】
【０１０６】
１００  光源装置
２１１ａ  フロント光
２１１ｂ  バック光
２１２  ＤＦＢ駆動部
２２１  サーミスタ
２２３，２３２，２４４，２４７  ローパスフィルタ
２２４，２４５  デジタル変換部
２３１，２４６，２６３  差分回路
２３６  ＴＥＣ駆動部
２４２  受光部
７０１  レンズ
７０２  漏光
８２０，１１１０  合成特性
λ９１，λ９２  出力波長
ＴＭλ６１  波長モニタ目標値
Ｍλ９１，Ｍλ９２，Ｍλ１５１，Ｍλ１５２  波長モニタ値
Ｍｔ１５１，Ｍｔ１５２  温度モニタ値
【図１】
2010232336.tif 000003
【図２】
2010232336.tif 000004
【図３】
2010232336.tif 000005
【図４】
2010232336.tif 000006
【図５】
2010232336.tif 000007
【図６】
2010232336.tif 000008
【図７】
2010232336.tif 000009
【図８】
2010232336.tif 000010
【図９】
2010232336.tif 000011
【図１０】
2010232336.tif 000012
【図１１】
2010232336.tif 000013
【図１２】
2010232336.tif 000014
【図１３】
2010232336.tif 000015
【図１４】
2010232336.tif 000016
【図１５】
2010232336.tif 000017